(57)【要約】【課題】仰向けに寝た状態で頭部を引っ張るようにすることで、頭部の重さを考慮する必要がなく、引き上げる場合に比べて小さい力で牽引力でき、このため、牽引による危険性もなく、また、小型化により家庭でも手軽に行うことのできる仰向け型頸椎牽引器を提供する。【解決手段】仰向けに寝た状態の頭部を載せて引っ張るスライド板５をスライド自在に設け、スライド板５を頭部を引っ張る方向に向けて一定の力で引き寄せる渦巻きバネ６をスライド板５の下方に配置し、渦巻きバネ６の引き寄せる力に抵抗してスライド板５を所定位置に係止及び係止解除させる係止ストッパー７を設けた。【選択図】        図１
0003133910.tif 000002
【実用新案登録請求の範囲】
【請求項１】
仰向けに寝た状態の頭部を載せて引っ張るスライド板を機枠の上面側に前後方向にスライド自在に設け、頭部を載せるスライド板を頭部を引っ張る方向に向けて一定の力で引き寄せる渦巻きバネをスライド板の下方に配置し、渦巻きバネの引き寄せる力に抵抗してスライド板を所定位置に係止及び係止解除させる係止ストッパーを設けたことを特徴とする仰向け型頸椎牽引器。
【請求項２】
機枠の内部に前後方向に向けてスライド杆を配置し、該スライド杆に係合案内されて前後方向に移動するスライドガイド盤をスライド自在に取り付け、仰向けに寝た状態の頭部を載せるスライド板をスライドガイド盤の上側に取り付け、頭部を載せるスライド板を頭部を引っ張る方向に向けて一定の力で引き寄せる渦巻きバネをスライド板の下方に配置すると共に渦巻きバネのコイルの先端側をスライド板の下面に連結し、機枠の一側板に解除レバーを備え先端側がスライド板に取り付けられたストッパー受けの係止穴に係合して渦巻きバネの引き寄せる力に抵抗してスライド板を所定位置に係止及び係止解除させる係止ストッパーを設けたことを特徴とする仰向け型頸椎牽引器。
【考案の詳細な説明】
【技術分野】
【０００１】
この考案は、仰向けに寝た状態で頸椎を引っ張ることで頸椎の神経障害を緩和する仰向け型頸椎牽引器に関するものである。
【背景技術】
【０００２】
頸椎の内部にある神経が圧迫されている場合に、頸椎を引っ張ることはこれの対策として有効であるということが一般に知られている。頸椎を引っ張ることで神経の圧迫を和らげて、手の痺れや肩こりを緩和している。
従来は、頸椎を引っ張る場合、患者は椅子に座り、患者の顎の部分を上側に引き上げることにより、行われている。
【考案の開示】
【考案が解決しようとする課題】
【０００３】
しかしながら、患者の顎を引き上げる場合、患者の頭の重さを考慮する必要があり、引き上げ力は５ｋｇ以上になるが、５ｋｇ以上の強い力で長い時間、引っ張り続けることは危険があり、ベルトにより顎も不快である。
しかも、この治療を受けている間、患者は椅子に座り続ける必要があり、リラックスすることができず、患者にとっては苦痛でもあった。
また、頭を引き上げる方式は構造が大型になり、家庭では手軽に行うことが困難であった。病院に通うにしても時間がとられ、長期間の治療の継続が難しかった。
【０００４】
この考案は、上記のような課題に鑑み、その課題を解決すべく創案されたものであって、その目的とするところは、仰向けに寝た状態で頭部を引っ張るようにすることで、頭部の重さを考慮する必要がなく、引き上げる場合に比べて小さい力で牽引力でき、このため、牽引による危険性もなく、また、小型化により家庭でも手軽に行うことのできる仰向け型頸椎牽引器を提供することにある。寝てリラックスした状態で長時間牽引することにより、痛んだ椎間板等も回復しやすくなると考えられる。
【課題を解決するための手段】
【０００５】
以上の目的を達成するために、請求項１の考案は、仰向けに寝た状態の頭部を載せて引っ張るスライド板を機枠の上面側に前後方向にスライド自在に設け、頭部を載せるスライド板を頭部を引っ張る方向に向けて一定の力で引き寄せる渦巻きバネをスライド板の下方に配置し、渦巻きバネの引き寄せる力に抵抗してスライド板を所定位置に係止及び係止解除させる係止ストッパーを設けた手段よりなるものである。
【０００６】
また、請求項２の考案は、機枠の内部に前後方向に向けてスライド杆を配置し、該スライド杆に係合案内されて前後方向に移動するスライドガイド盤をスライド自在に取り付け、仰向けに寝た状態の頭部を載せるスライド板をスライドガイド盤の上側に取り付け、頭部を載せるスライド板を頭部を引っ張る方向に向けて一定の力で引き寄せる渦巻きバネをスライド板の下方に配置すると共に渦巻きバネのコイルの先端側をスライド板の下面に連結し、機枠の一側板に解除レバーを備え先端側がスライド板に取り付けられたストッパー受けの係止穴に係合して渦巻きバネの引き寄せる力に抵抗してスライド板を所定位置に係止及び係止解除させる係止ストッパーを設けた手段よりなるものである。
【考案の効果】
【０００７】
以上の記載より明らかなように、この考案に係る仰向け型頸椎牽引器によれば、頸椎を伸ばすにあたり、仰向けに寝た状態で頭部を引っ張って頸椎を牽引することができるので、頭部の重さを考慮する必要がなく、頭部を引き上げる場合に比べて小さい力で牽引力でき、このため、牽引による危険性もなく、また、小型化により家庭でも手軽に頸椎を伸ばす治療を行うことができる等、極めて実用的有益なる効果を奏するものである。
【考案を実施するための最良の形態】
【０００８】
以下、図面に記載の考案を実施するための最良の形態に基づいて、この考案をより具体的に説明する。
ここで、図１は仰向け型頸椎牽引器の一部切り欠き斜視図、図２は仰向け型頸椎牽引器の平面図、図３は仰向け型頸椎牽引器の側面図、図４は仰向け型頸椎牽引器の係止ストッパーの側面図、図５は仰向け型頸椎牽引器の底面図、図６は仰向け型頸椎牽引器のスライド時の底面図である。
【０００９】
図において、仰向け型頸椎牽引器１は、仰向けに寝た状態で頭部を引っ張って頸椎を牽引する機器で、機枠２、スライド杆３、スライドガイド盤４、頭部を載せて牽引するスライド板５、スライド板５を引っ張る渦巻きバネ６、スライド板５を所定位置に係止及び係止解除する係止ストッパー７などから構成されている。
【００１０】
機枠２は、平面から見て方形状の形状を有し、左右に配置された左側板２１と右側板２２、前後端に配置された前部板２３と後部板２４の四側枠から構成される。機枠２は前方に向けて斜め上向きに傾斜しており、左右の左側板２１及び右側板２２は側面から見て前部板２３の両端と接続される側に向けて斜め上向きに傾斜している。このように機枠２は上面側が前方に向けて斜め上向きに傾斜しているので、機枠２の前端側となる前部板２３は後端側となる後部板２４より高くなっている。
【００１１】
左右側板２１，２２と前後板２３，２４で囲まれた機枠２の内部には、その左右側に前後方向に向けて例えば断面円形のスライド杆３がそれぞれ配置されている。左右の各スライド杆３の前端は前部板２３に連結され、各スライド杆３の後端は後部板２４に連結されている。スライド杆３はスライドガイド盤４を介してスライド板５を前後方向にスムーズにスライドさせる機能を果たす。
【００１２】
各スライド杆３は機枠２の上面側の傾斜に併せて、前方に向けて斜め上向きに傾斜するようにそれぞれ取り付けられている。即ち、左右の各スライド杆３の前端の高い前部板２３の上端からの取り付け高さは、各スライド杆３の後端の低い後部板２４の上端からの取り付け高さと同じである。スライド杆３の傾斜により、スライド板５は傾斜してスライドする。
【００１３】
左右のスライド杆３には、該スライド杆３に係合案内されて前後方向に移動するスライドガイド盤４がそれぞれスライド自在に取り付けられている。スライドガイド盤４は上側に配置されるスライド板５をスライドさせる機能を果たす。スライドガイド盤４は一つのスライド杆３上に前後に間をあけて二つ取り付けられている。
【００１４】
各スライドガイド盤４にはスライド杆３が貫通するスライド孔４１が前後方向に向けてそれぞれ形成されている。スライド孔４１はスライド杆３の断面と同形の形状を有しており、例えば円形の孔が形成されている。各スライドガイド盤４はスライド杆３が貫通することで、スライド杆３上を前後方向にスライドする。
【００１５】
各スライドガイド盤４の上部には、その上側に配置されたスライド板５と一体的に連結するためのガイド連結板４２が一体的に形成されている。スライド板５の下面と接するガイド連結板４２の上面は平坦面に形成され、叉スライド板５と例えばビスネジなどで連結するために図示しないネジ孔などが形成されている。
【００１６】
スライド板５は、仰向けに寝た状態の頭部を載せて、載せた頭部を強制的に引っ張るものである。前記したようにスライド板５はその下側で連結されたスライド杆３及びスライドガイド盤４によってスライド自在になっている。仰向けに寝た状態の頭部を載せるスライド板５は例えば方形の平板状になっていて、その表面には後頭部を載せる枕ａを固定して取り付けるために例えば面ファスナー５１が左右幅方向にそれぞれ二箇所に取り付けられている。
【００１７】
スライド板５をスライドさせるスライド杆３は前記したように、前方に向けて斜め上向きに傾斜して取り付けられているので、スライド杆３に沿ってスライドするスライド板５も前方の前部板２３に向けて斜め上向きにスライドし、後方の後部板２４に向けて斜め下向きにスライドする。また、後述するように、スライド板５は前方に向けて斜め上向きに引っ張られる。
【００１８】
スライド板５の下側の機枠２の内側には、頭部を引っ張る方向に向けて一定の力で頭部を載せるスライド板５を引き寄せる渦巻きバネ６が配置されている。渦巻きバネ６は、前部板２３の中央に取り付けられたバネ取付板６１にその回転中心部が連結されている。バネ取付板６１は前部板２３に対して直角に取り付けられていて、一方渦巻きバネ６の回転中心部はバネ取付板６１に対して直角に取り付けられている。つまり渦巻きバネ６の回転中心方向は、左右の側板２１、２２側に向いている。
【００１９】
前部板２３のバネ取付板６１に取り付けられた渦巻きバネ６には、前部板２３に向けて薄板状のコイル６２が一定の力で巻き取られている。渦巻きバネ６から後部板２４に向けて延びているコイル６２の先端側はスライド板５の下面の中央にネジなどにより連結されている。スライド板５はこのコイル６２を通じて渦巻きバネ６が取り付けられた前部板２３側に向けて常時引っ張られている。
【００２０】
スライド板５を引っ張る渦巻きバネ６のバネ力はスライド板５のスライドするストロークに関係なくほぼ一定である。このため、スライド板５に載せた頭部をストロークに関係なく常に一定の引っ張り力で牽引することが可能となる。また、渦巻きバネ６のバネ力は頭部を支える必要がないので、少し弱い力、例えば２ｋｇで牽引することができ、強い力で頭部を牽引する場合に比べて危険性や不快感が殆どない。
【００２１】
係止ストッパー７は、渦巻きバネ６の引き寄せる力に抵抗してスライド板５を頭部を引っ張る方向と逆向きの所定位置に係止及び係止解除させる機能を果たす。即ち、係止ストッパー７が働くと、渦巻きバネ６のバネ力が作用していてもスライド板５は前方に向けて引っ張られることはなく、所定位置で動かない。係止ストッパー７を解除すると、渦巻きバネ６のバネ力によってスライド板５は瞬時に引っ張られて移動可能となる。係止ストッパー７は、図では左側板２１の中央部分に設けられている。
【００２２】
係止ストッパー７はそのストッパー先端７１が左側板２１を貫通して機枠２の内側の左側のスライド杆３の側面近くまで達している。係止ストッパー７のストッパー先端７１が達する部分のスライド杆３には、ストッパー先端７１が挿入して係止する係止穴７２ａが形成されたストッパー受け７２がスライド自在に装着されている。係止穴７２ａはストッパー受け７２の側面に形成されている。このストッパー受け７２はスライド板５と一体になって移動する。
【００２３】
ストッパー受け７２の上部には、その上側に配置されたスライド板５と一体的に連結するためのストッパー受け連結板７２ｂが一体的に形成されている。スライド板５の下面と接するストッパー受け連結板７２ｂの上面は平坦面に形成され、叉スライド板５と例えばビスネジなどで連結するために図示しないネジ孔などが形成されている。ストッパー受け７２はストッパー受け連結板７２ｂを通じてスライド板５と一体的に連動連結されて、一体となってスライドする。
【００２４】
渦巻きバネ６に引っ張られて前方にスライド移動したスライド板５を所定の停止位置に戻した際に、ストッパー受け７２の側面に形成した係止穴７２ａに係止ストッパー７のストッパー先端７１がスムーズに係合できるように、ストッパー受け７２には誘導傾斜側面７２ｃが形成されている。誘導傾斜側面７２ｃはストッパー受け７２の後半側の側面に一体的に形成されている。
【００２５】
誘導傾斜側面７２ｃの側面は平面から見て、ストッパー受け７２の側面と同じ位置から後方に向かって左側板２１から離れる方向に後退傾斜している。スライド板５を所定の停止位置に戻す場合、誘導傾斜側面７２ｃの最も後退している部分に係止ストッパー７のストッパー先端７１に当たり、この誘導傾斜側面７２ｃに沿ってストッパー先端７１は左側板２１側に向けて押圧後退させられてストッパー受け７２の側面まで誘導された後、その側面に形成されている係止穴７２ａに入ることができるようになっている。
【００２６】
係止ストッパー７は左側板２１にそのストッパー先端７１が貫通した状態で取り付けられているが、その後半側は左側板２１の外側に取り付けられている。この外側に取り付けられた部分には係止ストッパー７の係止状態を解除するための解除レバー７３が取り付けられていて、解除レバー７３を軸回りに回転させると係止ストッパー７全体が回転しながら左側板２１の外側に向けて後退して、そのストッパー先端７１がストッパー受け７２の係止穴７２ａから抜け出る構造になっている。
【００２７】
解除レバー７３を軸回りに回すと、係止ストッパー７全体が後退するように、係止ストッパー７の後端側には係止ストッパー７を左側板２１に固定するナットに固定された円筒の端部が斜めに形成された円筒状の解除レバーガイド７４が取り付けられている。解除レバー７３はこの解除レバーガイド７４によってレバーを軸回りに回すと斜めに形成された端部に沿って係止ストッパー７全体を後方側に移動させる。
【００２８】
次に、上記考案を実施するための最良の形態の構成に基づく仰向け型頸椎牽引器の使用方法について以下説明する。
渦巻きバネ６によって機枠２の前方側に引っ張られているスライド板５を後方側に押し戻して所定位置に係止させる。渦巻きバネ６のバネ力よりも強い力で引き戻すとスライド板５は機枠２の後部板２４側に移動し、移動するスライド板５に連結されているストッパー受け７２の誘導傾斜側面７２ｃに係止ストッパー７のストッパー先端７１が当接し始める。
【００２９】
当接したストッパー先端７１はその左側板２１に向けて徐々に張り出す誘導傾斜側面７２ｃに沿って徐々に後退した後、係止穴７２ａが形成された係止穴７２ａの側面に沿って相対的に移動した後に図示しないバネの力によって係止穴７２ａに入る。
【００３０】
係止ストッパー７のストッパー先端７１がストッパー受け７２の側面の係止穴７２ａに入ることにより、渦巻きバネ６によって常時引っ張られているスライド板５はその所定位置に係止され、解除レバー７３でその係止状態を解除しない限り動くことはない。
【００３１】
スライド板５を所定の位置に係止させた後、スライド板５の上に枕ａを置く、枕ａはスライド板５の表面に取り付けられている面ファスナー５１によって、スライド板５の表面に固定される。傾斜するスライド板５の傾斜下側に首をのせ仰向けに横たわり、頭部をスライド板５の枕ａの上に載せる。
【００３２】
そして、手で解除レバー７３を回すと、係止ストッパー７は全体が左側板２１の外側に向けて後退し、係止ストッパー７のストッパー先端７１はストッパー受け７２の係止穴７２ａから抜け出て外れる。係止ストッパー７のストッパー先端７１が係止穴７２ａから外れると、渦巻きバネ６のバネ力によってスライド板５は引っ張られることになり、スライド板５の上に載せている頭部もスライド板５と共に引っ張られることになり、これにより頸椎を伸ばすことができ、頸椎を伸ばすことにより神経の圧迫を和らげて例えば手の痺れや肩こりなどを緩和し、頸椎牽引による治療効果が期待できる。
【００３３】
なお、この考案は上記考案を実施するための最良の形態に限定されるものではなく、この考案の精神を逸脱しない範囲で種々の改変をなし得ることは勿論である。
【図面の簡単な説明】
【００３４】
【図１】この考案を実施するための最良の形態を示す仰向け型頸椎牽引器の一部切り欠き斜視図である。
【図２】この考案を実施するための最良の形態を示す仰向け型頸椎牽引器の平面図である。
【図３】この考案を実施するための最良の形態を示す仰向け型頸椎牽引器の側面図である。
【図４】この考案を実施するための最良の形態を示す仰向け型頸椎牽引器の係止ストッパーの側面図である。
【図５】この考案を実施するための最良の形態を示す仰向け型頸椎牽引器の底面図である。
【図６】この考案を実施するための最良の形態を示す仰向け型頸椎牽引器のスライド時の底面図である。
【符号の説明】
【００３５】
１    仰向け型頸椎牽引器
２    機枠
２１    左側板
２２    右側板
２３    前部板
２４    後部板
２５    ストッパー板
３    スライド杆
４    スライドガイド盤
４１    スライド孔
４２    ガイド連結板
５    スライド板
５１    面ファスナー
５２    ストッパー片
６    渦巻きバネ
６１    バネ取付板
６２    コイル
７    係止ストッパー
７１    ストッパー先端
７２    ストッパー受け
７２ａ  係止穴
７２ｂ  ストッパー受け連結板
７２ｃ  誘導傾斜側面
７３    解除レバー
７４    解除レバーガイド
ａ    枕
【図１】
0003133910.tif 000003
【図２】
0003133910.tif 000004
【図３】
0003133910.tif 000005
【図４】
0003133910.tif 000006
【図５】
0003133910.tif 000007
【図６】
0003133910.tif 000008